(57)【要約】【課題】電気泳動表示装置において、保護基板及び電気泳動シート間に空気層が形成されることを抑制すると共に、電気泳動素子が外部の水分や酸素を吸収することを抑制する。【解決手段】電気泳動表示装置は、素子基板（１０）と、素子基板上に設けられた電気泳動シート（２００）と、電気泳動シートにおける素子基板に対向しない面（２００ａ、２００ｂ）を覆うように、水ガラスから形成された水ガラス部材（３００）と、電気泳動シート及び水ガラス部材を介して素子基板と対向するように、且つ、水ガラス部材に接するように設けられた保護基板（５０）とを備える。【選択図】図２
2011059433.tif 000002
【特許請求の範囲】
【請求項１】
素子基板と、
前記素子基板上に設けられた電気泳動シートと、
前記電気泳動シートにおける前記素子基板に対向しない面を覆うように、水ガラスから形成された水ガラス部材と、
前記電気泳動シート及び前記水ガラス部材を介して前記素子基板と対向するように、且つ、前記水ガラス部材に接するように設けられた保護基板と
を備えることを特徴とする電気泳動表示装置。
【請求項２】
前記素子基板及び前記保護基板間に、前記水ガラス部材における前記電気泳動シートの側面に対向する側面部分を覆うように設けられ、樹脂から形成された樹脂部材を備えることを特徴する請求項１に記載の電気泳動表示装置。
【請求項３】
前記電気泳動シートは、樹脂基板及び電気泳動素子を含んでなり、
前記保護基板は、ガラスからなり、
前記樹脂基板及び前記保護基板は、前記水ガラス部材によって互いに接着されている
ことを特徴とする請求項１又は２に記載の電気泳動表示装置。
【請求項４】
請求項１から３のいずれか一項に記載の電気泳動表示装置を備えることを特徴とする電子機器。
【発明の詳細な説明】
【技術分野】
【０００１】
本発明は、電気泳動表示装置及び電子機器の技術分野に関する。
【背景技術】
【０００２】
この種の電気泳動表示装置として、電気泳動素子を含んでなる電気泳動シートを、画素電極及びこの画素電極を駆動するための画素スイッチング素子などが設けられた素子基板上に備えるものが知られている。このような電気泳動表示装置では、電気泳動素子が外部の水分や酸素を吸収すると、電気泳動素子の電気的特性が変化することにより表示品質が低下してしまうおそれがある。そこで、電気泳動シートにおける素子基板に対向しない側に、電気泳動シートよりも大きなサイズを有する保護基板（或いは「封止基板」と呼ばれることもある）が設けられると共に、素子基板及び保護基板間に電気泳動シートを囲むように樹脂部材が設けられる場合がある。
【０００３】
例えば特許文献１では、有機ＥＬ（Electro-Luminescence）発光装置において、アルカリ金属原子を含有する珪酸ガラスを介して陽極接合された素子基板と封止基板とにより、有機ＥＬ素子を気密封止し収納する技術が開示されている。
【先行技術文献】
【特許文献】
【０００４】
【特許文献１】特開２００８−１０２４６号公報
【発明の概要】
【発明が解決しようとする課題】
【０００５】
上述したような電気泳動表示装置では、電気泳動シートと保護基板との間に空気層が介在してしまい、保護基板と空気層との屈折率の相違に起因して、表示品質が低下してしまうおそれがあるという技術的問題点がある。
【０００６】
本発明は、例えば上述した問題点に鑑みなされたものであり、保護基板及び電気泳動シート間に空気層が形成されることを抑制できると共に、電気泳動素子が外部の水分や酸素を吸収することを抑制でき、高品位な表示を行うことが可能な電気泳動表示装置及びこのような電気泳動表示装置を備えてなる電子機器を提供することを課題とする。
【課題を解決するための手段】
【０００７】
本発明の電気泳動表示装置は上記課題を解決するために、素子基板と、前記素子基板上に設けられた電気泳動シートと、前記電気泳動シートにおける前記素子基板に対向しない面を覆うように、水ガラスから形成された水ガラス部材と、前記電気泳動シート及び前記水ガラス部材を介して前記素子基板と対向するように、且つ、前記水ガラス部材に接するように設けられた保護基板とを備える。
【０００８】
本発明の電気泳動表示装置によれば、その動作時には、電気泳動シートに含まれる電気泳動素子に、例えば画像信号に応じた電圧が印加されることにより例えば表示領域に画像が表示される。
【０００９】
素子基板は、例えばガラス基板上に、画素電極及び該画素電極を駆動するための例えばトランジスタ等の画素スイッチング素子が表示領域における画素毎に設けられてなる。
【００１０】
電気泳動シートは、例えば共通電極が形成された樹脂基板、及び該樹脂基板上に固定された電気泳動素子を含んでなる。電気泳動シートは、典型的には、樹脂基板が電気泳動素子を介して素子基板に対向するように（即ち、樹脂基板上の共通電極が電気泳動素子を介して素子基板上の画素電極と対向するように）、素子基板上に設けられる。電気泳動表示装置の動作時には、例えば、画素電極及び共通電極間に画像信号に応じた電圧が印加される。例えばマイクロカプセルである電気泳動素子の内部には、電気泳動粒子として、例えば負に帯電された複数の白色粒子と正に帯電された複数の黒色粒子とが含まれている。電気泳動素子では、画素電極及び共通電極間に印加される電圧に応じて、負に帯電された複数の白色粒子及び正に帯電された複数の黒色粒子のうち一方が画素電極側に移動（即ち、泳動）し、他方が共通電極側に移動する。これにより、移動された電気泳動粒子に応じた画像が共通電極側（即ち、素子基板及び保護基板のうち保護基板側）に表示される
本発明では特に、電気泳動シートにおける素子基板に対向しない面を覆うように、水ガラスから形成された水ガラス部材を備え、保護基板が、電気泳動シート及び水ガラス部材を介して素子基板と対向するように、且つ、水ガラス部材に接するように設けられる。具体的には、水ガラス部材は、例えば、電気泳動シートにおける素子基板に対向しない面（即ち、電気泳動シートにおける保護基板に対向する保護基板対向面及び該保護基板対向面に交わる側面）に、水ガラス（即ち、ケイ酸ナトリウム（Ｎａ２ＳｉＯ３）を含む水溶液）が塗布されることにより形成される。保護基板は、典型的には、ガラス基板からなる。保護基板は、水ガラス部材に接するように設けられ、水ガラス部材によって電気泳動シートに接着される。
【００１１】
よって、水ガラス部材（より具体的には、水ガラス部材のうち電気泳動シートの保護基板対向面上に形成された部分）によって、保護基板と電気泳動シートとの間に空気層が形成されることを抑制できる。従って、電気泳動シートと保護基板との間に空気層が介在してしまい、保護基板と空気層との屈折率の相違に起因して、表示品質が低下してしまうことを抑制或いは防止できる。
【００１２】
更に、保護基板及び水ガラス部材（より具体的には、水ガラス部材のうち電気泳動シートの側面上に形成された部分）によって、電気泳動素子が外部の水分や酸素を吸収すること（言い換えれば、外部の水分や酸素が、電気泳動シートに含まれる電気泳動素子に侵入すること）を抑制或いは防止できる。つまり、保護基板及び水ガラス部材によって、電気泳動シートに対する防湿性及び防酸素性を高めることができる。従って、電気泳動素子が外部の水分や酸素を吸収することにより、電気泳動素子の電気的特性が変化してしまい、表示品質が低下してしまうことを抑制或いは防止できる。
【００１３】
これらの結果、本発明の電気泳動表示装置によれば、高品位な表示を行うことが可能となる。
【００１４】
加えて、水ガラス部材は、上述したように、電気泳動シートにおける素子基板に対向しない面に、水ガラスを塗布するという比較的簡易な方法で製造することができるので、製造プロセスの複雑化を招かず、電気泳動表示装置の信頼性の向上を図ることができる。また、電気泳動表示装置の製造コストの低減を図ることも可能となる。
【００１５】
更に加えて、水ガラス部材（より具体的には、水ガラス部材のうち電気泳動シートの保護基板対向面上に形成された部分）によって、例えば、外部から保護基板に衝撃が加わった場合などに、電気泳動シートに含まれる電気泳動素子が破損してしまうことを抑制或いは防止できる。即ち、水ガラス部材は、水ガラスからなり、弾力性を有しているので、電気泳動シートに対して保護基板側から加わる衝撃を緩和する衝撃緩和材（即ち、クッション）としても機能することができる。
【００１６】
尚、水ガラス部材を構成する水ガラスは、中性（即ち、酸性でもアルカリ性でもない状態）であること或いは中性に近いことが好ましい。この場合には、電気泳動シートに含まれる電気泳動素子が水ガラス部材によって腐蝕してしまうことを殆ど或いは実践上完全に無くすことができる。
【００１７】
以上説明したように、本発明の電気泳動表示装置によれば、保護基板及び電気泳動シート間に空気層が形成されることを抑制できると共に、電気泳動素子が外部の水分や酸素を吸収することを抑制できる。この結果、高品位な表示を行うことが可能となる。
【００１８】
本発明の電気泳動表示装置の一態様では、前記素子基板及び前記保護基板間に、前記水ガラス部材における前記電気泳動シートの側面に対向する側面部分を覆うように設けられ、樹脂から形成された樹脂部材を備える。
【００１９】
この態様によれば、樹脂部材によって、水ガラス部材の側面部分が覆われるので、水ガラス部材に外部の水分が付着することを防止できる。従って、水ガラス部材が水分によって浸食されてしまうことを防止できる。これにより、外部の水分や酸素が電気泳動素子に侵入することを抑制或いは防止するという水ガラス部材の機能を確実に維持することができ、当該電気泳動表示装置の信頼性を高めることができる。
【００２０】
本発明の電気泳動表示装置の他の態様では、前記電気泳動シートは、樹脂基板及び電気泳動素子を含んでなり、前記保護基板は、ガラスからなり、前記樹脂基板及び前記保護基板は、前記水ガラス部材によって互いに接着されている。
【００２１】
この態様によれば、電気泳動シートを構成する樹脂基板とガラスからなる保護基板とが、水ガラス部材によって互いに接着されているので、電気泳動シートと保護基板との間に空気層が介在することを確実に抑制或いは防止できる。更に、保護基板はガラスからなり、屈折率が空気よりも水ガラス部材に近いので、保護基板と水ガラス部材との屈折率の相違に起因して、表示品質が低下してしまうことは殆ど或いは実践上全く無い。
【００２２】
本発明の電子機器は上記課題を解決するために、上述した本発明の電気泳動表示装置を備える。
【００２３】
本発明の電子機器によれば、上述した本発明の電気泳動表示装置を備えるので、高品位な表示を行うことが可能な、例えば、腕時計、電子ペーパー、電子ノート、携帯電話、携帯用オーディオ機器などの各種電子機器を実現できる。
【００２４】
本発明の作用及び他の利得は次に説明する発明を実施するための形態から明らかにされる。
【図面の簡単な説明】
【００２５】
【図１】第１実施形態に係る電気泳動表示装置の概略構成を示す平面図である。
【図２】図１のII−II’線での断面図である。
【図３】電気泳動表示装置を適用した電子機器の一例たる電子ペーパーの構成を示す斜視図である。
【図４】電気泳動表示装置を適用した適用した電子機器の一例たる電子ノートの構成を示す斜視図である。
【発明を実施するための形態】
【００２６】
以下では、本発明の実施形態について図を参照しつつ説明する。
【００２７】
＜第１実施形態＞
第１実施形態に係る電気泳動表示装置について、図１及び図２を参照して説明する。
【００２８】
図１は、本実施形態に係る電気泳動表示装置の概略構成を示す平面図であり、図２は、図１のII−II’線での断面図である。
【００２９】
図１及び図２において、本実施形態に係る電気泳動表示装置１は、互いに対向するように配置されたＴＦＴ基板１０と保護基板５０との間に設けられた電気泳動シート２００に含まれる電気泳動素子であるマイクロカプセル８０に、画像信号に応じた電圧を印加することにより、表示領域１０ａにおいて表示を行うことが可能な電気泳動表示装置である。
【００３０】
ＴＦＴ基板１０は、本発明に係る「素子基板」の一例であり、ガラス基板上に、画素電極及び該画素電極を駆動するための薄膜トランジスタ（ＴＦＴ：Thin Film Transistor）が、表示領域１０ａにマトリクス状に配列された画素毎に設けられてなる。尚、ＴＦＴ基板１０は、可撓性を有していてもよいし、可撓性を有していなくてもよい。ＴＦＴ基板１０を構成するガラス基板を例えば研磨等により薄く形成することで、可撓性を有するＴＦＴ基板１０を形成することができる。また、ＴＦＴ基板１０は、例えばプラスチック基板、ステンレス基板、アルミニウム基板等であってもよい。
【００３１】
電気泳動シート２００は、ＴＦＴ基板１０上に設けられており、対向基板２０と、該対向基板２０上にバインダー８５によって固定された複数のマイクロカプセル８０とを含んでなる。
【００３２】
対向基板２０は、本発明に係る「樹脂基板」の一例としてのＰＥＴ（ポリエチレンテレフタレート）基板からなる。対向基板２０は、ＴＦＴ基板１０よりも小さな基板サイズを有しており、表示領域１０ａにおいてマイクロカプセル８０を介してＴＦＴ基板１０に対向するように配置されている。対向基板２０上におけるＴＦＴ基板１０との対向面上には、共通電極が、ＴＦＴ基板１０上に設けられた複数の画素電極と対向してベタ状に形成されている。共通電極は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００３３】
尚、本実施形態に係る電気泳動表示装置１は、製造プロセスにおいて、複数のマイクロカプセル８０が予め対向基板２０側にバインダー８５によって固定されてなる電気泳動シート２００が、別途製造された、画素電極等が形成されたＴＦＴ基板１０側に接着層によって接着されている。
【００３４】
マイクロカプセル８０は、ＴＦＴ基板１０上の画素電極と対向基板２０上の共通電極と間に挟持され、１つの画素内に（言い換えれば、１つの画素電極に対して）１つ又は複数配置されている。
【００３５】
マイクロカプセル８０は、その内部に分散媒と、電気泳動粒子である複数の白色粒子と、複数の黒色粒子とが封入されてなる。マイクロカプセル８０は、例えば、５０ｕｍ程度の粒径を有する球状に形成されている。
【００３６】
マイクロカプセル８０の外殻として機能する被膜は、ポリメタクリル酸メチル、ポリメタクリル酸エチル等のアクリル樹脂、ユリア樹脂、アラビアガム等の透光性を有する高分子樹脂から形成されている。
【００３７】
分散媒は、白色粒子及び黒色粒子をマイクロカプセル８０内（言い換えれば、被膜内）に分散させる媒質である。分散媒としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒には、界面活性剤が配合されてもよい。
【００３８】
白色粒子は、例えば、二酸化チタン、亜鉛華（酸化亜鉛）、三酸化アンチモン等の白色顔料からなる粒子（高分子或いはコロイド）であり、例えば負に帯電されている。
【００３９】
黒色粒子は、例えば、アニリンブラック、カーボンブラック等の黒色顔料からなる粒子（高分子或いはコロイド）であり、例えば正に帯電されている。
【００４０】
このため、白色粒子及び黒色粒子は、画素電極と共通電極との間の電位差によって発生する電場によって、分散媒中を移動することができる。
【００４１】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００４２】
画素電極と共通電極との間に、相対的に共通電極の電位が高くなるように電圧が印加された場合には、正に帯電された黒色粒子はクーロン力によってマイクロカプセル８０内で画素電極側に引き寄せられると共に、負に帯電された白色粒子はクーロン力によってマイクロカプセル８０内で共通電極側に引き寄せられる。この結果、マイクロカプセル８０内の表示面側（即ち、共通電極側）に白色粒子が集まることで、表示面（即ち、対向基板２０におけるＴＦＴ基板１０に対向しない面の表示領域１０ａ）にこの白色粒子の色（即ち、白色）を表示することができる。逆に、画素電極と共通電極との間に、相対的に画素電極の電位が高くなるように電圧が印加された場合には、負に帯電された白色粒子がクーロン力によって画素電極側に引き寄せられると共に、正に帯電された黒色粒子はクーロン力によって共通電極側に引き寄せられる。この結果、マイクロカプセル８０の表示面側に黒色粒子が集まることで、表示面にこの黒色粒子の色（即ち、黒色）を表示することができる。
【００４３】
尚、画素電極及び共通電極間における白色粒子及び黒色粒子の分布状態によって、白色と黒色との中間階調である、ライトグレー、グレー、ダークグレー等の灰色を表示することも可能である。また、白色粒子、黒色粒子に用いる顔料を、例えば赤色、緑色、青色等の顔料に代えることによって、赤色、緑色、青色等のカラー表示も可能となる。
【００４４】
図１及び図２において、本実施形態では特に、電気泳動シート２００におけるＴＦＴ基板１０に対向しない面を覆うように、水ガラスから形成された水ガラス部材３００を備えており、保護基板５０は、電気泳動シート２００及び水ガラス部材３００を介してＴＦＴ基板１０と対向するように、且つ、水ガラス部材３００に接するように設けられている。具体的には、水ガラス部材３００は、電気泳動シート２００における保護基板５０に対向する保護基板対向面２００ａ及び該保護基板対向面２００ａに交わる側面２００ｂに、水ガラス（即ち、ケイ酸ナトリウム（Ｎａ２ＳｉＯ３）を含む水溶液）が塗布されることにより形成されている。即ち、水ガラス部材３００は、電気泳動シート２００の保護基板対向面２００ａ上に形成された第１部分３１０と、電気泳動シート２００の側面２００ｂ上に形成された第２部分３２０とを有している。水ガラス部材３００の第１部分３１０は、ＴＦＴ基板１０の法線方向から見て、電気泳動シート２００の保護基板対向面２００ａに重なっており、水ガラス部材３００の第２部分３２０は、ＴＦＴ基板１０の法線方向から見て、電気泳動シート２００の周囲を取り囲んでいる。保護基板５０は、ガラス基板からなる。保護基板５０は、水ガラス部材３００に接するように設けられ、水ガラス部材３００によって電気泳動シート２００（より具体的には、対向基板２０）に接着されている。
【００４５】
よって、水ガラス部材３００（より具体的には、水ガラス部材３００のうち電気泳動シート２００の保護基板対向面２００ａ上に形成された第１部分３１０）によって、保護基板５０と電気泳動シート２００（より具体的には、対向基板２０）との間に空気層が形成されることを抑制或いは防止できる。従って、電気泳動シート２００と保護基板５０との間に空気層が介在してしまい、保護基板５０と空気層との屈折率の相違に起因して、表示品質が低下してしまうことを抑制或いは防止できる。
【００４６】
つまり、本実施形態では、ＰＥＴ基板からなる対向基板２０とガラスからなる保護基板５０とが、水ガラス部材３００によって互いに接着されているので、電気泳動シート３００と保護基板５０との間に空気層が介在することを確実に抑制或いは防止できる。更に、保護基板５０はガラスからなり、屈折率が空気よりも水ガラス部材３００に近いので、保護基板５０と水ガラス部材３００との屈折率の相違に起因して、表示品質が低下してしまうことは殆ど或いは実践上全く無い。
【００４７】
更に、保護基板５０及び水ガラス部材３００（より具体的には、水ガラス部材３００のうち電気泳動シート２００の側面２００ｂ上に形成された第２部分３２０）によって、マイクロカプセル８０が外部の水分や酸素を吸収すること（言い換えれば、外部の水分や酸素が、電気泳動シート２００に含まれるマイクロカプセル８０に侵入すること）を抑制或いは防止できる。つまり、マイクロカプセル８０に対する防湿性及び防酸素性を高めることができる。従って、マイクロカプセル８０が外部の水分や酸素を吸収することにより、マイクロカプセル８０の電気的特性が変化してしまい、表示品質が低下してしまうことを抑制或いは防止できる。
【００４８】
これらの結果、本実施形態に係る電気泳動表示装置１によれば、高品位な表示を行うことが可能となる。
【００４９】
加えて、水ガラス部材３００は、上述したように、電気泳動シート２００におけるＴＦＴ基板１０に対向しない面（即ち、電気泳動シート２００の保護基板対向面２００ａ及び側面２００ｂ）に、水ガラスを塗布するという比較的簡易な方法で製造することができるので、製造プロセスの複雑化を招かず、電気泳動表示装置１の信頼性の向上を図ることができる。また、電気泳動表示装置１の製造コストの低減を図ることも可能となる。
【００５０】
更に加えて、水ガラス部材３００（より具体的には、水ガラス部材３００のうち電気泳動シート２００の保護基板対向面２００ａ上に形成された第１部分３１０）によって、例えば、外部から保護基板５０に衝撃が加わった場合などに、電気泳動シート２００に含まれるマイクロカプセル８０が破損してしまうことを抑制或いは防止できる。即ち、水ガラス部材３００は、水ガラスからなり、弾力性を有しているので、電気泳動シート２００に対して保護基板５０側から加わる衝撃を緩和する衝撃緩和材としても機能することができる。
【００５１】
図１及び図２において、本実施形態では特に、ＴＦＴ基板１０及び保護基板５０間に、水ガラス部材３００における電気泳動シート２００の側面２００ｂに対向する第２部分３２０を覆うように、樹脂部材５００が設けられている。樹脂部材５００は、ＴＦＴ基板１０と保護基板５０との間において、水ガラス部材３００の第２部分３２０を介して電気泳動シート２００を取り囲むように設けられている。つまり、樹脂部材５００は、ＴＦＴ基板１０上で平面的に見て、電気泳動シート２００を取り囲むように設けられた水ガラス部材３００の第２部分３２０を取り囲むように設けられている。言い換えれば、樹脂部材５００は、水ガラス部材３００の第２部分３２０における外周側（即ち、第２部分３２０における電気泳動シート２００に対向する側とは反対側）を覆うように設けられている。樹脂部材５００は、例えばエポキシ樹脂、シリコン樹脂、アクリル樹脂等の樹脂からなる。尚、水ガラス部材３００の第２部分３２０は、本発明に係る「側面部分」の一例である。
【００５２】
よって、樹脂部材５００によって、水ガラス部材３００の第２部分３２０が覆われるので、水ガラス部材３００に外部の水分が付着することを防止できる。従って、水ガラス部材３００が水分によって浸食されてしまうことを防止できる。これにより、外部の水分や酸素がマイクロカプセル８０に侵入することを抑制或いは防止するという水ガラス部材３００の機能を確実に維持することができ、電気泳動表示装置１の信頼性を高めることができる。
【００５３】
以上説明したように、本実施形態に係る電気泳動表示装置１によれば、保護基板５０及び電気泳動シート２００間に空気層が形成されることを抑制できると共に、電気泳動素子であるマイクロカプセル８０が外部の水分や酸素を吸収することを抑制できる。この結果、高品位な表示を行うことが可能となる。
【００５４】
＜電子機器＞
次に、上述した電気泳動表示装置を適用した電子機器について、図３及び図４を参照して説明する。以下では、上述した電気泳動表示装置を電子ペーパー及び電子ノートに適用した場合を例にとる。
【００５５】
図３は、電子ペーパー１４００の構成を示す斜視図である。
【００５６】
図３に示すように、電子ペーパー１４００は、上述した実施形態に係る電気泳動表示装置１を表示部１４０１として備えている。電子ペーパー１４００は可撓性を有し、従来の紙と同様の質感及び柔軟性を有する書き換え可能なシートからなる本体１４０２を備えて構成されている。
【００５７】
図４は、電子ノート１５００の構成を示す斜視図である。
【００５８】
図４に示すように、電子ノート１５００は、図３で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【００５９】
上述した電子ペーパー１４００及び電子ノート１５００は、上述した実施形態に係る電気泳動表示装置を備えるので、信頼性が高く、高品質な画像表示を行うことが可能である。
【００６０】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置及び該電気泳動表示装置を備えてなる電子機器もまた本発明の技術的範囲に含まれるものである。
【符号の説明】
【００６１】
１０…ＴＦＴ基板、２０…対向基板、５０…保護基板、８０…マイクロカプセル、２００…電気泳動シート、３００…水ガラス部材、５００…樹脂部材
【図１】
2011059433.tif 000003
【図３】
2011059433.tif 000004
【図４】
2011059433.tif 000005
【図２】
2011059433.tif 000006